(57)【要約】【課題】  犬猫に履かす靴・靴下は、くびれの無い犬猫の足の特徴である形から、足首をゴムとマジックテープできつく縛った型にする他無かった。いくらきつく縛っても、靴、靴下は脱げたり抜けたりして、散歩途中で何度も履かせ直しをしないといけない。散歩を終えたときに、４足のうち何足か無くなってしまっている事に気付く事もしばしばある。また、きつく足首を縛ることに犬はストレスを感じ、靴、靴下を履くことをとても嫌がるので、装着時は履かせ直しの時に時間がかかり、飼い主にもストレスがかかる。【解決手段】  犬猫に着用する衣装本体と、犬猫の足部に装着する靴或いは靴下と、衣装本体と靴或いは靴下を連結し、少なくとも一部分が伸縮部材で出来た連結手段で構成することにより、犬猫へのストレスを軽減出来る。また靴・靴下が脱げる、抜ける、紛失する等のトラブルも無くなる。【選択図】図１
2014233289.tif 000002
【特許請求の範囲】
【請求項１】
犬猫に着用する衣装本体と、前記犬猫の足部に装着する靴或いは靴下と、前記衣装本体と前記靴或いは靴下を連結し、少なくとも一部分が伸縮部材で出来た連結手段とからなる、犬猫の靴・靴下脱げ防止衣装。
【請求項２】
衣装本体の一端に、犬猫の首輪に係止する係止手段を設けた事を特徴とする特許請求の範囲第１項に記載の犬猫の靴・靴下脱げ防止衣装。
【請求項３】
連結手段は、伸縮部材と、前記伸縮部材の両端に設けられた衣装本体及び靴或いは靴下に脱着自在に固定可能な止め部材と、前記伸縮部材の長さを調節可能とする調節部材とからなることを特徴とする特許請求の範囲第１項又は第２項に記載の犬猫の靴・靴下脱げ防止衣装。
【請求項４】
衣装本体は一部に保冷部材或いは温熱部材を装着可能な装着部を設けたことを特徴とする特許第１項〜第３項のいずれか１項に記載の犬猫の靴・靴下脱げ防止衣装。
【請求項５】
衣装本体は、犬猫の胴体部分を周回するベルトをタスキ掛け状に設けたことを特徴とする特許請求の範囲第１項〜第４項のいずれか１項に記載の犬猫の靴・靴下脱げ防止衣装。
【発明の詳細な説明】
【技術分野】
【０００１】  この発明は、夏季に熱く灼けたアスファルトやマンホールの蓋で犬猫が肉球を火傷しないために、あるいは冬季の雪や氷の冷たさから肉球を守るために履く犬猫の靴・靴下脱げ防止衣類に関するものである
【背景技術】
【０００２】  従来の犬猫用靴・靴下は底部と足を覆うカバーとが合体した靴・靴下部分と、足首に巻き回す、巻き回し部材が合体する様に構成され、犬猫の足を靴・靴下部分に挿入し、連結した巻き回し部材で犬猫の足首をきつく締め付けることにより、脱げ防止となる様に構成されていた。（例えば特許文献１参照）
また、他の従来の犬猫用衣装は前身ごろと後ろ身ごろが、肩及び脇の部分で連結して構成され、足用の穴に足を入れ、胴体全体を包み込む事により衣装がずれないように構成されていた。（例えば特許文献２参照）
【先行技術文献】
【特許文献】
【０００３】
【特許文献１】特開２００９−１２４９５９号公報
【特許文献２】特開２０００−２４５２８３号公報
【発明の概要】
【発明が解決しようとする課題】
【０００５】  しかしながら、従来の技術（特許文献１）によれば、脱げない様に犬猫の足の大きさにちょうどあったサイズの靴を履かせなければならず、ファスナーで締め付けるか、足首をゴム等で縛り付けた上、面テープできつく縛らなければならない。ここまでの履かせるという作業は飼い主にとってとても困難を伴うものであり、犬もまた大人しくそれを受け入れたり、協力したりする事は無い。しかも４本分であり、手間は大変なものとなる。
履かせてからは、窮屈な靴・靴下が与える犬猫への締め付けは大きく、縛られた足首への負担もあり、犬猫が大きなストレスを感じてしまう。
また人間のように手首足首の細くなった部分を持たない犬猫の足からはどうしても歩行中に靴が脱げて、何度も履かせ直しをしなければならず、飼い主と犬猫が散歩中脱げる度にストレスを感じてしまう。犬猫の足首は、人間の足首、手首の様にくびれておらず、断面が丸い。したがって縛る位では、靴・靴下止めておくことはそもそも不可能なのである。
そこで本発明は、装着が容易で履かせやすい、締め付けを少なくした犬猫の靴・靴下を使用しても、歩行中に靴・靴下の脱げ防止をし、犬も飼い主も快適に散歩を楽しめる衣装を提供することを目的としたものである。【０００６】  また、従来の技術（特許文献２）によれば、犬猫の衣装は前身ごろと後ろ身ごろで構成され、犬猫の胴体を包みこむ事で、犬猫は、肩、背中、腹、手足等に拘束され窮屈な不快感を覚える。夏であれば犬猫の体感温度が服を着用することで更に上ってしまう。そこで本発明は、犬猫の体に負担をかけずに衣装を装着し、犬も飼い主も快適に散歩を楽しめる衣装を提供することを目的としたものである。
【課題を解決するための手段】
【０００７】  従来の課題を解決する為に、第一発明は、犬猫に着用する衣装本体と、犬猫の足部に装着する靴或いは靴下と、衣装本体と靴或いは靴下を連結する連結手段とで構成し、犬猫の靴・靴下脱げを防止したものである。【０００８】  第二発明は、衣装本体の一端に、犬猫の首輪に係止する係止手段を設け、犬猫の靴・靴下の脱げを防止したものである。【０００９】  第三発明は、連結手段は、伸縮部材と伸縮部材の両端に設けられた衣装本体及び靴或いは靴下に脱着自在に固定可能な止め部材と、伸縮部材の長さを調節可能な調節部材とからなることにより、犬猫の靴・靴下脱げを防止したものである。【００１０】  第四発明は、衣装本体は一部に保冷部材或いは温熱部材を装着可能な装着部を設けたものである。【００１１】  第五発明は、衣装本体は、犬猫の胴体部分を周回するベルトをタスキ掛け状に設け犬猫の靴・靴下脱げを防止したものである。
【発明の効果】
【００１２】  第一発明によれば、衣装本体と、靴或いは靴下を連結する伸縮部材の連結手段で結合することにより、足首を固く縛る事無く、伸縮部材からなる連結手段が上部へ靴・靴下を引っ張り上げ、犬猫に負担とストレスを与えることなく、靴・靴下を脱げにくくすることが出来る。【００１３】  第二発明によれば、本体衣装の一端に、犬猫の首輪に係止する係止手段を設けたことにより、本体衣装が背中からずれることを防止出来る。【００１４】  第三発明によれば、連結手段は、伸縮部材と伸縮部材の両端に設けられた衣装本体及び靴或いは靴下に脱着自在に固定可能な止め部材と伸縮部材の長さを調節可能とする調整部材からなることで、衣装本体のサイズを様々にすることに加え、伸縮部材の長さ調節により、どのような体格、体形、足の長さの犬猫でも着用が可能となる。【００１５】  第四発明によれば、衣装本体の一部に保冷部材或いは温熱部材を装着可能な装着部を設けたことによって、炎天下や極寒時の犬猫の体温調節をし、快適な散歩をすることが出来る。【００１６】  第五発明によれば、衣装本体が犬猫の胴体部分を周回する、ベルトをタスキ掛け状に設けたことにより、衣装が背中から腹側にずれる事を防止することが出来る。
【図面の簡単な説明】
【００１７】
【図１】本発明の第一の実施例を示す犬猫の靴・靴下脱げ防止衣装の全体図。
【図２】本発明の第一の実施例における着用時の斜視図。
【図３】本発明の第一の実施例における係止手段を示す構成図。
【図４】本発明の第二の実施例における連結手段を示す構成図。
【図５】本発明における第三の実施例を示す犬猫の靴・靴下、脱げ防止衣装の全体図。
【図６】図５におけるＡ−Ａ断面図。
【図７】本発明における第四の実施例を示す犬猫の靴・靴下脱げ防止衣装の全体図。
【図８】本発明における第五の実施例を示す犬猫の靴・靴下脱げ防止衣装の全体図。
【発明を実施するための形態】
【００１８】  図１〜図８を用いて本発明の実施例を説明する。
【実施例】
【００１９】  本発明の第一の実施例を、図１、図２、図３により説明する。
犬猫の靴・靴下脱げ防止衣装の衣装本体１は布製であり、衣装本体１の四隅に連結手段であるゴム製の伸縮部材２が４本設けられている。この４本の伸縮部材２の先には靴・靴下の上部を止める部材３が設けられている。伸縮部材２の中間には伸縮部材２の長さ調節の出来る長さ調節部材４が設けられている。衣装本体１上部には、係止手段である本体ずれ防止止めベルト５が設けられている。伸縮部材２は全体を伸縮部材で構成するか、若しくは、少なくとも一部分を伸縮部材で構成しても良い。
衣装本体１の素材は、夏はメッシュにし、風通しを良くし、犬の体感温度を下げる。他にも、太陽の熱をさえぎるようなクールダウン効果のある素材や、冬用にはニット・ボア・フリース・ダウンなどでも、犬の体感温度を快適にする効果が得られる。
伸縮部材２の素材は固めの平ゴムを採用するが、丸ゴム・バネ等を使用しても同じ効果が得られる。
靴・靴下の上部を止める部材３はクリップを採用しているが、ホック・ボタン・スナップ・面テープ・安全ピン・フックなどを使用しても同じ効果が得られる。
本体ずれ防止止めベルト５の素材は  綾平織りのテープを採用しているが、頑丈な物ならば、丸型の紐やロープ状のものでも良く、リードに使われている紐等であれば同じような効果が得られる。また、連結部材８と連結部材７で構成される止め具は、ホック・ボタン・スナップ・面テープ・安全ピン・フック等を使用する。【００２０】  次に犬猫に対しての使い方について犬に使用した時を例として説明する。まず、犬の背面に衣装本体１を乗せ、首輪に本体ずれ防止止めベルト５を回し込み、衣装本体１の連結部材７と本体ずれ防止止めベルト５の先端にある連結部材８を連結させる。衣装本体１の四隅から出ている連結手段であるゴム製の伸縮部材２をあらかじめ靴或いは靴下の位置に合わせ長さ調節部材４により調節をしておく。伸縮部材２の先端についている靴・靴下の上部を止める部材３を、履かせた犬の靴・靴下６上部に止める。再度長さ調節部材４を使い犬の靴或いは靴下が適度に上へ引っ張り上げられる様に伸縮部材２の長さを調整する。それを４本の犬の足に全て行う。【００２１】  図３に於いて係止手段である本体ずれ防止止めベルト５を説明する。
衣装本体１の一辺中央に本体ずれ防止止めベルト５が付けられており、その装着部分に連結部材７、本体ずれ防止止めベルト５の先端に連結部材８が付けられている。本体ずれ防止止めベルト５の装着時は、犬猫の首輪に本体ずれ防止止めベルト５を１回くぐらせ連結部材７結部材８を連結させる。【００２２】  次に本発明の第二の実施例に於ける連結手段を図４により説明する。犬猫の手持ちの衣装と犬猫の手持ちの靴・靴下を繋げる事が出来る装置であり、伸縮部材１０の中間に長さ調節部材１１を取り付け、両端に靴・靴下の上部を止める部材９を取り付ける。これを４本使用し、犬猫の前足に２本、後ろ足に２本装着し、靴・靴下の脱げ防止をする。【００２３】  次に犬猫に対しての使い方について説明する（図示せず）。まず、犬猫の手持ちの衣装と手持ちの靴・靴下を犬猫に装着し、靴・靴下の上部を止める部材９の片方を手持ち衣装の、靴・靴下に近い部分に取り付ける。取り付けた靴・靴下の上部を止める部材９のもう片方を犬猫の履かせた靴・靴下の上部に取り付ける。それを４本の犬猫の足に全て行う。
以上のように本実施例に於いては、犬猫の手持ちの衣装と犬猫の手持ちの靴・靴下を使うことが出来、犬猫の靴・靴下の脱げ防止をする装置自体も製作材料等が安くなり、安価で使用することが出来る。【００２４】  本発明の第三の実施例を図５図６により説明する。
図５は図１により説明した犬猫の靴・靴下脱げ防止衣装の衣装本体１の一部に保冷材、温熱材入れポケット１３を設けたものである。他の構成は図１と同様であり、説明は省略する。
図６は保冷材、温熱材入れポケット１３のＡ−Ａ断面図で、衣装本体１の保冷材、温熱材入れポケット１３の内側素材１２を熱伝導の優れた素材に変え、保冷材、温熱材入れポケット１３の入り口から、保冷材、温熱材１４を挿入する。【００２５】  次に犬猫に対しての使い方について説明する。まず、装着した犬猫の靴・靴下、脱げ防止衣装の背中部分にある保冷材、温熱材入れポケット１３の中に、夏は保冷材、冬は温熱材を入れて、犬猫の体感温度を調節する。図６の断面図は、保冷材、温熱材１４が犬猫の背中側に当たるところの内側素材１２を熱伝導の優れた素材にすることにより、被毛で覆われ熱の伝わりにくい犬猫も、熱が伝わりやすく、快適に散歩をすることが出来る。【００２６】  本発明の第四の実施例を図７により説明する。１６は普通の犬猫の衣装のように、前足・肩を通せる普通の衣装の形をした本体である。胸のところに本体ずれ落ち防止ベルト胸部１７やお腹のところに本体ずれ落ち防止ベルト腹部１５がタスキ掛けに装着されている。【００２７】  次に犬猫に対しての使い方について犬に使用した時を例として説明する。まず前足・肩を通せる普通の衣装の形をした本体１６を背面からかぶせ、左右の前足を  前足・肩を通せる普通の衣装の形をした本体１６の前足の為の穴に入れる。衣装がずれないように本体ずれ落ち防止ベルト胸部１７、本体ずれ落ち防止ベルト腹部１５をクロスさせて止める。前足・肩を通せる普通の衣装の形をした本体１６の四隅から出ている連結手段であるゴム製の伸縮部材２をあらかじめ靴或いは靴下の位置に合わせ長さ調節部材４により調節をしておく。伸縮部材２の先端についている靴・靴下の上部を止める部材３を、履かせた犬猫の靴或いは靴下の上部に靴・靴下の上部を止める。再度長さ調節部材４を使い犬猫の靴或いは靴下が適度に上へ引っ張り上げられる様に連結部材２の長さを調整する。それを４本の犬猫の足に全て行う。
本体ずれ落ち防止ベルト胸部１７、本体ずれ落ち防止ベルト腹部１５の素材は、テープ・紐・ゴム・綾平織りのテープ等を使用すると良い。【００２８】  次に本発明における第五の実施例を示す犬猫の靴・靴下脱げ防止装置を図８により説明する。犬猫の靴・靴下脱げ防止衣装の衣装部分をベルトに替えて作成したもので、本体ベルト２３と本体ベルト２３の四隅に連結手段であるゴム製の伸縮部材２２が４本設けられている。この４本の伸縮部材２２の先には靴・靴下の上部を止める部材１８が設けられている。伸縮部材２２の中間には、伸縮部材２２の長さ調節部材１９が設けられている。ズレ防止のための首輪の係止手段は、本体ベルト２３の前側にあたるところに設けてある。【００２９】  次に犬猫に対しての使い方について犬に使用した時を例として説明する。まず、犬の背面に本体ベルト２３を乗せ、首輪に本体ベルト２３の長い方（図中左側）を回し込み、本体ベルト２３の先端にある連結部材２１と本体ベルト２３の途中にある連結部材２０を連結させる。
本体ベルト２３から出ている四本の連結手段であるゴム製の伸縮部材２２をあらかじめ靴或いは靴下の位置に合わせ長さ調節部材１９により調節をしておく。伸縮部材２２の先端についている靴・靴下の上部を止める部材１８を、履かせた犬の靴或いは靴下の上部に止める。再度長さ調節部材１９を使い犬の靴或いは靴下が適度に上へ引っ張り上げられる様に伸縮部材２２の長さを調整する。それを４本の犬の足に全て行う。
【符号の説明】
【００３０】  １  衣装本体
２  伸縮部材
３  靴、靴下の上部を止める部材
４  長さ調節部材
５  係止手段（本体ずれ防止止めベルト）
６  靴・靴下
７  連結部材
８  連結部材
９  靴・靴下の上部を止める部材
１０  伸縮部材
１１  長さ調節部材
１２  内側素材
１３  保冷材、温熱材入れポケット
１４  保冷材、温熱材
１５  本体ずれ落ち防止ベルト腹部
１６  前足・肩を通せる普通の衣装の形をした本体
１７  本体ずれ落ち防止ベルト胸部
１８  靴・靴下の上部を止める部材
１９  長さ調節部材
２０  連結部材
２１  連結部材
２２  伸縮部材
２３  本体ベルト
【図１】
2014233289.tif 000003
【図２】
2014233289.tif 000004
【図３】
2014233289.tif 000005
【図４】
2014233289.tif 000006
【図５】
2014233289.tif 000007
【図６】
2014233289.tif 000008
【図７】
2014233289.tif 000009
【図８】
2014233289.tif 000010